(57)【要約】【課題】  蓋体の押え板と、スライド板に取着した爪部材によりフィルム状食品を弾力的に保持するとともに、スライド板を摺動させ、爪部材により一葉ずつ確実に取出せるようにしたフィルム状食品、その他のフィルム状物品、或いはシート状物品の収納容器を提供すること。【解決手段】  容器本体と、容器本体に取着される蓋体と、爪部材を装着したスライド板とを具備したフィルム状物品収納容器であって、容器本体は、底壁の前端部に傾斜壁を設けた収納室と、収納室の前端に設けた取出口とを具備しており、蓋体は、スライド孔と、フィルム状物品を押圧する押え板を具備しており、スライド板は、スライド孔に摺動自在に装着され、下面に設けた取付部にフィルム状物品に係合する爪部材を取着したことを特徴とする。【選択図】図１
2005186970.tif 000002
【特許請求の範囲】
【請求項１】
容器本体と、容器本体に取着される蓋体と、爪部材を装着したスライド板とを具備したフィルム状物品収納容器であって、
容器本体は、底壁の前端部に傾斜壁を設けた収納室と、収納室の前端に設けた取出口とを具備しており、
蓋体は、スライド孔と、フィルム状物品を押圧する押え板を具備しており、
スライド板は、スライド孔に摺動自在に装着され、下面に設けた取付部にフィルム状物品に係合する爪部材を取着したことを特徴とするフィルム状物品収納容器。
【請求項２】
容器本体と蓋体を、ヒンジを介して結合し、一体に成形したことを特徴とする請求項１記載のフィルム状物品収納容器。
【請求項３】
容器本体の後壁と蓋体の後壁の双方、または何れか一方に、後方に延びる取付片を設け、該取付片をケースの底蓋に取着し、底蓋の嵌合筒にキャップを被嵌させたことを特徴する請求項１、２記載のフィルム状物品収納容器。
【発明の詳細な説明】
【技術分野】
【０００１】
本発明は、フィルム状物品収納容器に関するものである。
【背景技術】
【０００２】
香料、消臭剤、或いは薬剤等を水溶性フィルム内に含有させた口中清涼フィルムは、従来より知られており（例えば、特許文献１参照）、また、各種のフィルム状、或いは扁平板状の収納物を収容した小型容器も、従来より知られている（例えば、特許文献２、３参照）。
また、チューインガム等の収納容器において、内容物を一枚ずつ取出せるものも、従来より知られている（例えば特許文献４参照）。
【特許文献１】特開２００１−９７８３６号公報
【特許文献２】実登第２５２７５１１号公報
【特許文献３】実公昭５２−２８６７５号公報
【特許文献４】実公昭３９−８８７６号公報
【発明の開示】
【発明が解決しようとする課題】
【０００３】
上記特許文献２、３記載の従来の収納容器は、フィルム状、または扁平板状の収納物を重ねて収納し、取出口に指を差入れ、収納物を一葉ずつ取出すようにしているが、強く押えたときには、一度に複数枚取出されることがあり、また、直接指に触れるので衛生的でないという問題があった。
【０００４】
また、特許文献４記載の収納容器は、収納されているチューインガムの後端に係合する係合突起を設けた係合片により、取出すようにしている。
しかし、係合突起は、板状体の後端に係合して取出すので、係合突起より厚い板状体では一枚ずつ取出せるが、係合突起が複数の板状体に係合するときは、複数の板状体を取出すことになり、厚さの薄いフィルム状物品を一枚ずつ取出すことはできないという問題があった。
【０００５】
本発明は、上記問題を解決することを課題として、蓋体の押え板と、スライド板に取着した爪部材によりフィルム状食品を弾力的に保持するとともに、スライド板を摺動させ、爪部材により一葉ずつ確実に取出せるようにしたフィルム状食品、その他のフィルム状物品、或いはシート状物品の収納容器を提供することを目的とする。
【課題を解決するための手段】
【０００６】
本発明は、上記の課題を解決するため、フィルム状物品収納容器として、容器本体と、容器本体に取着される蓋体と、爪部材を装着したスライド板とを具備したフィルム状物品収納容器であって、容器本体は、底壁の前端部に傾斜壁を設けた収納室と、収納室の前端に設けた取出口とを具備しており、蓋体は、スライド孔と、フィルム状物品を押圧する押え板を具備しており、スライド板は、スライド孔に摺動自在に装着され、下面に設けた取付部にフィルム状物品に係合する爪部材を取着したことを特徴とする構成を採用する。
【０００７】
別実施例として、容器本体と蓋体を、ヒンジを介して結合し、一体に成形したことを特徴とする構成を採用する。
【０００８】
また、別実施例として、容器本体の後壁と蓋体の後壁の双方、または何れか一方に、後方に延びる取付片を設け、該取付片をケースの底蓋に取着し、底蓋の嵌合筒にキャップを被嵌させたことを特徴する構成を採用する。
【発明の効果】
【０００９】
本発明のフィルム状物品収納容器は、蓋体の押え板と、スライド板の押出し爪によりフィルム状物品を弾力的に保持するとともに、スライド板を摺動させ、押出し爪により、しかも取出口に連なる傾斜壁と相俟って、一葉ずつ確実に取出すことが指等に触れることなく、容易にできるようになった。
【発明を実施するための最良の形態】
【００１０】
次に、本発明のフィルム状物品収納容器について説明する。
本収納容器は、内容物として、清涼フィルム、その他のフィルム状食品、海苔等のシート状の乾燥食品、或いはあぶら取り紙、紙石鹸、その他のシート状日用品が収納されるもので、以下実施例をあげて説明する。
【実施例１】
【００１１】
図１〜３に示すように、本発明のフィルム状物品収納容器は、容器本体１と、蓋体２、スライド板３と該スライド板３に取着された爪部材４、およびキャップ５とから構成されている。
【００１２】
容器本体１は、底壁６と側壁７ａ，７ｂ、および後壁８とを具えており、底壁６の前端部は、傾斜壁９となっており、底壁６の中間部には、収納するフィルム状物品の長さに対応する位置に一対の仕切板１０が立設されているが、フィルム状物品の長さによっては、仕切板１０を設けなくてもよい。
側壁７ａ，７ｂ外面の下端には、蓋体２を嵌着するための膨出突条１１が設けられている。
【００１３】
蓋体２は、頂壁１２と側壁１３ａ，１３ｂ、および後壁１４とからなっており、頂壁１２には、スライド孔１５が穿設されている。
スライド孔１５の後端縁には、連結板１６が垂設され、その下端から前方に延び、先端を下方に屈曲させて押え１７とした押え板１８が連設されている。
側壁１３ａ，１３ｂの前端部は、容器本体１の傾斜壁９側部を覆う傾斜が付されており、頂壁１２、側壁１３ａ，１３ｂの各前端を結んで前壁板１９が設けられている。
該前壁板１９と容器本体１の傾斜壁９の先端部によって取出口２０が形成される。
【００１４】
図２に示すように、スライド板３は、その上面には、横方向に延びる多数の滑り止め用の突条２１が設けられており、その下面には、スライド孔１５内に嵌挿されるスライド部２２が設けられている。
スライド部２２は、スライド孔１５の巾とほぼ同一の巾と、蓋体２の厚さとほぼ同じ高さを有しており、その下面には、爪部材４の取付部２３が設けられている。
取付部２３は、角形の筒体となっており、各面の下端には、膨出部２４が突設されている。
【００１５】
爪部材４は、保持板２５と押出し爪２６とからなっており、保持板２５の巾はスライド板３とほぼ同一となっている。
保持板２５には、取付部２３に嵌合する取付孔２７が穿設されており、保持板２５の前端縁には、先端部を下方に屈曲した押出し爪２６が連設されている。
【００１６】
スライド板３と爪部材４の保持板２５によって蓋体２の頂壁１２が挟持され、スライド板３を摺動させることによってスライド部２２がスライド孔１５によって案内され、押出し爪２６がフィルム状物品の上面に係合して一葉のフィルム状物品を送り出すことができる。
また、押出し爪２６の先端部を梨子地状、または凹凸形状にすること、或いはゴム板を貼着することによって、より確実にフィルム状物品を送ることができる。
【００１７】
キャップ５は、側周壁と頂壁とからなり、組み立てられた容器本体１の底壁６と蓋体２に嵌挿され、取出口２０を覆うように形成されている。
【００１８】
次に、本実施例容器の使用態様と、作用効果について説明する。
フィルム状物品の収納にあたっては、まず、仕切板１０に接するように内容物を収納し、次いで、スライド板３を蓋体２のスライド孔１５に嵌挿し、取付部２３に爪部材４の保持板２５を取着け、スライド板３と爪部材４を装着した蓋体２を、容器本体１に嵌着する。
その際、蓋体２の押え板１８の押え１７が内容物を押さえ、押出し爪２６が内容物を押さえる。
次に、キャップ５が被嵌され、フィルム状物品の収納容器が完成される。
【００１９】
使用にあたっては、キャップ５を開いて、図３に示すように、スライド板３を前方にスライドさせれば、蓋体２の押え板１８によって適宜弾力的に保持されたフィルム状物品が、押出し爪２６によって押出され、フィルム状物品の一番上の枚葉ａが傾斜壁９に案内され、取出口２０から押出される。
したがって、フィルム状物品に手指を触れることなく、一葉のフィルム状物が確実に繰り出される。
【実施例２】
【００２０】
次に、第２実施例について説明する。
本実施例は、容器本体と、蓋体とを一体成形したもので、図４（ａ）（ｂ）において、１ａは容器本体、２ａは蓋体である。
【００２１】
容器本体１ａの後壁３０の上端中央には、ヒンジ３１を介して蓋体２ａの後壁３２が取着されている。
容器本体１ａの他の部分の構成は、第１実施例と同一であり、蓋体２ａは、後壁３２が、第１実施例の後壁１４よりきわめて短くなっているほかは、第１実施例と同一であるので、説明を省き、同一符号に添字ａを付して図示するにとどめる。
なお、容器本体１ａと蓋体２ａの後壁３０、３２の高さ、ヒンジ３１の位置は、適宜に設定することができる。
【００２２】
フィルム状物の収納にあたっては、第１実施例と同様に、内容物を容器本体１ａに入れ、蓋体２ａを被せ、蓋体２ａの側壁を容器本体１ａの側壁に嵌着することによって、収納容器が得られる。
【００２３】
使用にあたって、第１実施例と同一の作用効果が得られる。
【００２４】
上記実施例では、容器本体と蓋体の後壁をヒンジを介して連結したが、いずれか一方の側壁同士をヒンジを介して連結してもよい。
この場合、ヒンジ結合する容器本体と蓋体のそれぞれの側壁の高さ、ヒンジの位置は、適宜設定することができる。
【実施例３】
【００２５】
次に第３実施例について説明する。
本実施形態は、収納容器を、気密性を持たせるため、ケース内に入れるようにしたものである。
以下、相違点を中心に説明する。
【００２６】
図５、６において、４０は容器本体、４１は蓋体、４２は爪部材４３を装着したスライド板、４４は底蓋４５とキャップ４６とからなるケースである。
容器本体４０は、底壁４７と側壁４８、後壁４９とを具えている。
底壁４７の中間部には、一対の仕切板５０が立設され、前端部には、傾斜壁５１が設けられており、傾斜壁５１上端と蓋体４１との間で取出口５２が形成されている。
側壁４８の下端には、膨出突条５３が設けられ、後壁４９の上端中央には、先端下側に膨出突条５４を突設した取付片５５が後方に延びるように連設されている。
【００２７】
蓋体４１は、頂壁５６と容器本体４０の下端までを覆う側壁５７、および容器本体４０の後壁４９上面に接合する後壁５８とからなっている。
頂壁５６には、スライド孔５９が穿設されており、スライド孔５９の後端から連結板を介して先端を屈曲させて押え６０とした押え板６１が設けられている。
後壁５８の下面中央には、取付片５５と対応して、先端に膨出突条６２を設けた取付片６３が設けられている。
【００２８】
スライド板４２、および爪部材４３の構成と作用は、前記第１実施例と同一であるので、符号に添字ａを付して簡単に図示するにとどめ、説明を省略する。
【００２９】
ケース４４の底蓋４５は、楕円形の台筒６５と嵌合筒６６、および頂壁６７とからなり、嵌合筒６６外周には、係合突条６８が突設されており、頂壁６７には、角形の取付孔６９が穿設されており、内面には、それぞれの面に取付片５５の膨出突条５４、または取付片６３の膨出突条６２が係合する膨出部７０が設けられている。
【００３０】
キャップ４６は、頂壁７１と嵌合筒６６に嵌合される楕円形の側周壁７２とからなり、側周壁７２の下端には、係合突条６８に係合する嵌合突条７３が設けられている。
【００３１】
次に、本実施例の使用態様と作用効果について説明する。
収納容器の組立にあたっては、フィルム状物品を、容器本体４０に収納し、取付片５５と蓋体４１の取付片６３とを重ねるように、蓋体４１を容器本体４０に取着する。
【００３２】
次いで、取付片５５、取付片６３を、ケース４４の底壁４５の取付孔６９に嵌合し、容器本体４０と蓋体４１を結合させた収納容器を底壁４５に取着し、底蓋４５にキャップ４６を嵌合すると、密封された収納容器を得ることができる。
【００３３】
使用にあたっては、キャップ４６を取外してスライド板４２を摺動させることによって、第１実施例と同様の作用効果を得ることができる。
【００３４】
内容物の取出し後、キャップ４６を閉じておくと、収納容器をケース４４内に密封することができるので、内容物を外気から遮断し、湿気、空気中の雑菌などにより、変質することがない。
【００３５】
上記第３実施例において、容器本体４０と蓋体４１の取付片５５、６３を、それぞれの後壁４９、５８から延びるように連設したが、後壁４９、５８の高さを変え、取付片５５、６３を一体化した取付片をいずれか一方に連設するようにしてもよい。
【産業上の利用可能性】
【００３６】
フィルム状物品の内容物は、指等で触れることなく、確実に一葉ずつシート状物品を取出し可能で、極めて衛生的に使用できるもので、清涼フィルム等のフィルム状食品ばかりでなく、海苔等のシート状食品の収納にも利用できる。
【００３７】
また、食品ばかりではなく、あぶら取り紙、紙石鹸等のシート状物の携帯用収納容器としても利用でき、用途を広い範囲に拡大することができる。
【図面の簡単な説明】
【００３８】
【図１】本発明第１実施例の収納容器の断面立面図である。
【図２】第１実施例の収納容器の説明図で、（ａ）は分解斜視図、（ｂ）はスライド板の裏面図である。
【図３】収納容器の作動時の説明図である。
【図４】第２実施例の説明図で、（ａ）は収納容器の断面立面図、（ｂ）は収納容器の上面図である。
【図５】第３実施例の収納容器の断面立面図である。
【図６】収納容器の説明図で、（ａ）分解斜視図である。 （ｂ）スライド板の裏面図である。
【図７】収納容器の作動時の説明図である。
【符号の説明】
【００３９】
１、１ａ、４０  容器本体
２、２ａ、４１  蓋体
３、４２    スライド板
４、４３    爪部材
５、４６    キャップ
６、４７    底壁
７ａ，ｂ    取出口
８、３０、４９、５８  後壁
９          傾斜壁
１２、５６  頂壁
１４、３２  後壁
１５、５９  スライド孔
１７、６０  押え
１８、６１  押え板
１９        前壁板
２０、５２  取出口
２２        スライド部
２３        取付部
２４        膨出部
２５        保持板
２６        押出し爪
３１        ヒンジ
３２        取付部
４４        ケース
４５        底蓋  
５１        傾斜壁
５４、６２  膨出突条
５５、６３  取付片
６５        台筒
６６        嵌合筒
６７        頂壁
【図１】
2005186970.tif 000003
【図２】
2005186970.tif 000004
【図３】
2005186970.tif 000005
【図４】
2005186970.tif 000006
【図５】
2005186970.tif 000007
【図６】
2005186970.tif 000008
【図７】
2005186970.tif 000009